(57)【要約】特にセルフストレージ式設備における扉に使用される、扉固定金具組立体。扉固定金具組立体は、単一の組立て体内に固定金具、ハンドルおよび施錠装置を含む。この組立体は、通行路に突出しないように、扉の面と実質的に同一面となるように凹ませることができる。固定金具組立体は、右手および左手使用のために反転させることができる。この組立体は、グリップ開口（１８）を有するベースプレート（１１）、施錠端から遠位端において突出するグリップ部分（１９）を備えるタング部（１２）、タング部（１２）を設置してベースプレート（１１）に保持する、ベースプレート（１１）に固定可能な背面ガイド（１３）、ベースプレート（１１）に固定可能な指グリップ凹部（２９）を含む、ハンドル部材（１４）を含み、組立て時に、グリップ部分（１９）がグリップ開口（１８）を通って突出するとともに、タング部（１２）が、ベースプレートに対して、横方向伸長位置と非伸長位置の間で摺動可能である。組立体は、南京錠の固定金具を収納する穴（２２、２２、２５、２５）をさらに含む。ベースプレート（１１）上には、グリップ開口（１８）に隣接して、穴（２２）を有する２つのタブ（２０、２１）があり、これらの穴が伸長位置または非伸長位置のいずれかで整列したときに、これらのタブは、グリップ部分（１９）上の、やはり穴（２５）有する２つのタブ（２３、２４）と整列することができ、南京錠の固定金具が、整列された穴（２２、２２、２５、２５）を通過して、タング部（１２）が移動しないように施錠することができる。
2013529268.tif 000002
【特許請求の範囲】
【請求項１】
グリップ開口を有するベースプレート；
突出するグリップ部分を備えるタング部；
前記ベースプレートに前記タング部を設置して保持する、前記ベースプレートに固定可能な背面ガイド；および
前記ベースプレートに固定可能なハンドル部材
を含み、組立て時に、前記グリップ部分が前記グリップ開口を通って突出するとともに、設置されて保持された前記タング部が、前記ベースプレートに対して横方向伸長位置と非伸長位置の間で摺動可能である、扉固定金具組立体。
【請求項２】
ベースプレートが、盛り上がった周辺リップ部分を備えて、凹部を設けられている、請求項１に記載の扉固定金具組立体。
【請求項３】
グリップ開口およびハンドル部材が、ベースプレートの凹部区域に位置している、請求項２に記載の扉固定金具組立体。
【請求項４】
ベースプレートが、湾曲形または弓形である一端を備え、実質的に長方形である、請求項１〜３のいずれか一項に記載の扉固定金具組立体。
【請求項５】
タング部が、湾曲形または弓形の端部から横に伸びている、請求項４に記載の扉固定金具組立体。
【請求項６】
ベースプレートが、開口を有する少なくとも１つのプレート耳金と、開口を有する関連するグリップ耳金とを備え、タング部が横に伸ばされると、それぞれの開口が整列して、それによって南京錠その他を開口を通して配置して、タング部をベースプレートに対して施錠することが可能になる、請求項１〜５のいずれか一項に記載の扉固定金具組立体。
【請求項７】
ベースプレートが、それぞれが開口を有する２つのプレート耳金と、それぞれが開口を有する２つの関連するグリップ耳金とを備え、タング部が横に伸ばされると、それぞれの対応するプレート耳金開口とグリップ耳金開口が整列して、固定金具組立体を施錠するための２つの位置選択肢を提供する、請求項６に記載の扉固定金具組立体。
【請求項８】
右手開き扉および左手開き扉に適合するために、ベースプレートと組み立てられた固定金具組立体が通常位置、または反転位置のいずれかにある場合に、２つのプレート耳金と２つのグリップ耳金が施錠位置をもたらすように配設されている、請求項７に記載の扉固定金具組立体。
【請求項９】
グリップ部分がグリップ開口内に保持されて、該グリップ部分の動きが前記グリップ開口の対向する周縁部によって制限されている、請求項１〜８のいずれか一項に記載の扉固定金具組立体。
【請求項１０】
ベースプレートが、１つまたは２つ以上の締め具によって背面ガイドに固定可能である、請求項１〜８のいずれか一項に記載の扉固定金具組立体。
【請求項１１】
ベースプレートが、実質的に長方形のベースプレートの隅部付近に配置可能な４つの締め具によって背面ガイドに固定可能である、請求項４〜１０のいずれか一項に記載の扉固定金具組立体。
【請求項１２】
締め具が、扉固定金具組立体を扉に固定するためにも使用される、請求項１１に記載の扉固定金具組立体。
【請求項１３】
ハンドル部材が、ベースプレートの湾曲端部に隣接して配置可能である、請求項４〜１２のいずれか一項に記載の扉固定金具組立体。
【請求項１４】
ハンドル部材が、内部凹部を備える実質的に弓形であって、ハンドグリップとして作用する、請求項１３に記載の扉固定金具組立体。
【請求項１５】
ベースプレートを背面ガイドに固定する締め具の１つまたは２つ以上が、ハンドル部材をベースプレートに固定する、請求項１０に記載の扉固定金具組立体。
【請求項１６】
ベースプレートへ装着可能であって、代替的または相補的錠を提供する、鍵付き錠がある、請求項１〜１５のいずれか一項に記載の扉固定金具組立体。
【請求項１７】
請求項１〜１６のいずれか一項に記載の扉固定金具組立体を備える、扉。
【請求項１８】
請求項２〜１６のいずれか一項に記載された扉固定金具組立体を備える扉であって、ベースプレートの周辺リップが、組み立てられて扉に取り付けられたときに、扉の面と実質的に同一面となるように、扉固定金具組立体を配置するための凹部がある、扉。
【請求項１９】
扉が、扉の幅を横切って伸びる、１つまたは２つ以上の補強部材を有する、請求項１７または１８に記載の扉。
【請求項２０】
扉フレーム内に配置可能であって、少なくとも部分的に、扉固定金具組立体を扉に締結する、１つまたは２つ以上の締め具によって、少なくとも部分的に位置決めして固定される、少なくとも1つの補強部材がある、請求項１９に記載の扉。
【発明の詳細な説明】
【技術分野】
【０００１】
本発明は、扉用の固定金具（latch）および錠（lock）に関する。本発明は、特に、限定的ではないが、セルフストレージ式設備（self-storage facility）を含む、倉庫および収納設備における扉用の用途を有する。本明細書においては、セルフストレージ式設備について本発明を説明するが、これは例示のためだけであり、本発明はこの例に限定されない。
【背景技術】
【０００２】
セルフストレージ式設備は、通常、多数の区画されたユニットを備える建造物で構成され、そこにスペースの借用者が自分の物品を収納することができる。各ユニットは、通常、内部スペースにアクセスするための扉を有し、収納した物品を護るために施錠することができる。各ユニットの扉は、通常、廊下の方向に開き、この廊下は他の廊下と接続して使用者が自分の収納スペースにアクセスすることを可能にするとともに、自分の物品を搭載したトロリーがその廊下に沿って通行できるようにする。
【０００３】
これらのユニットは、通常、反復可能なモジュール式建設と迅速な据え付けを可能にするために、いくつかの標準寸法の内の１つに構築される。最大の使用可能スペースを利用するために、廊下は比較的に狭い。しかしながら、扉ハンドル、固定金具および錠は、扉から外側に廊下へと突出していることが多く、安全上の問題を引き起こし、またトロリーの移動を妨げる。それに加えて、扉ハンドルと固定金具が離れて位置しており、それによって、問題を複雑化する。現在、これらの問題に対処するのに満足な方法がない。
【０００４】
発明の目的
本発明の目的は、上記の問題の１つまたは２つ以上を少なくとも部分的に克服する、扉に使用可能な扉固定金具組立体を提供することにある。
【発明の概要】
【０００５】
一観点において本発明は、概して、扉固定金具組立体に関し、
グリップ開口を有するベースプレート；
突出するグリップ部分を備えるタング部（tongue）；
前記ベースプレートに前記タング部を設置して保持する、前記ベースプレートに固定可能な背面ガイド；および
前記ベースプレートに固定可能なハンドル部材を含み、組立て時に、前記グリップ部分が前記グリップ開口を通って突出するとともに、設置されて保持された前記タング部が、前記ベースプレートに対して横方向伸長位置と非伸長位置の間で摺動可能である、扉固定金具組立体である。
【０００６】
好ましい形態においては、ベースプレートは、盛り上がった（proud）周辺リップ部分を備えて、凹部を設けられている。グリップ開口およびハンドル部材は、好ましくは、ベースプレートの凹部区域に位置している。
ベースプレートは、好ましくは実質的に長方形である。より好ましくは、ベースプレートは、湾曲形または弓形である一端を有する、実質的な長方形である。好ましくは、タング部は、湾曲形または弓形の端部から横に伸びている。
【０００７】
好ましくは、ベースプレートが、開口を有する少なくとも１つのプレート耳金（plate lug）と、開口を有する付随するグリップ耳金（grip lug）とを備え、タング部が横に伸ばされると、それぞれの開口が整列して、それによって南京錠（padlock）またはその他を開口を通して配置して、タング部をベースプレートに対して施錠することが可能になる。より好ましくは、それぞれが開口を有する２つのプレート耳金と、それぞれが開口を有する２つの付随するグリップ耳金とがあり、タング部が横に伸ばされると、それぞれの対応するプレート耳金開口とグリップ耳金開口が整列して、固定金具組立体を施錠するための２つの位置選択肢を提供する。
【０００８】
２つのプレート耳金と２つのグリップ耳金は、好ましくは、ベースプレートと組み立てられた固定金具組立体が通常位置、または反転位置のいずれかにあるときに、施錠位置をもたらし、右手開き扉および左手開き扉に対応するように配設されている。
好ましくは、グリップ部分は、グリップ開口内に保持されて、該グリップ部分の動きが前記グリップ開口の対向する周縁部によって制限される。
【０００９】
ベースプレートは、好ましくは、１つまたは２つ以上の締め具（fastener）によって背面ガイド（back guide）に固定可能である。好ましくは、ベースプレートは、実質的に長方形のベースプレートの隅部付近に配置可能な４つの締め具によって背面ガイドに固定可能である。好ましくは、締め具は、ロックナットを備えるボルトである。好ましくは、締め具は、扉固定金具組立体を扉に固定するのにも使用される。
好ましくは、ハンドル部材は、ベースプレートの湾曲端部に隣接して配置可能である。好ましくは、ハンドル部材は、内部凹部を備える実質的に弓形であって、ハンドグリップとして作用する。好ましくは、ベースプレートを背面ガイドに固定する締め具の１つまたは２つ以上が、ハンドル部材をベースプレートに固定する。
【００１０】
好ましくは、ベースプレートへ装着可能であって、代替的または相補的な錠となる、鍵付き錠（keyed lock）がある。鍵付き錠は、好ましくは、ベースプレートに対してタング部を施錠する。鍵付き錠は、好ましくは、グリップ開口とハンドル部材の間に配置される。鍵付き錠は、好ましくは、べゼル型（bezel-type）錠である。
本観点の扉固定金具組立体は、好ましくは、上述した好ましい特徴および任意選択の特徴の異なる組み合わせおよび順列を含む。
好ましくは、扉固定金具組立体は、スウィング扉、スライド扉およびローラー扉に使用することができる。
【００１１】
別の観点では、本発明は、概して、上述したような扉固定金具組立体を備える扉である。この観点は、上記のような扉固定金具組立体のすべての変形形態および組合せを含む。
好ましくは、扉は、ベースプレートの周辺リップ（peripheral lip）が、組み立てられて扉に取り付けられたときに、扉の面と実質的に同一面となるように、扉固定金具組立体を配置するための凹部を有する。
【００１２】
好ましくは、扉は、扉の幅を横切って延びる、１つまたは２つ以上の補強部材を有する。より好ましくは、扉フレーム内に配置可能であって、少なくとも部分的に、扉固定金具組立体を扉に締結する、１つまたは２つ以上の締め具によって、少なくとも部分的に位置決めして固定される、少なくとも1つの補強部材がある。
本発明の理解をさらに容易にできるようにするために、次に、本発明の好ましい態様を図示する添付の図面を参照する。
【図面の簡単な説明】
【００１３】
【図１】図１は、組立て状態における好ましい態様の扉固定金具組立体の概略前方側面図である。
【図２】図２は、組立て状態における好ましい態様の扉固定金具組立体の概略前方図である。
【図３】図３は、組立て状態における好ましい態様の扉固定金具組立体の概略後方側面図である。
【図４】図４は、組立て状態における好ましい態様の扉固定金具組立体の概略後方図である。
【図５】図５は、組立て状態における好ましい態様の扉固定金具組立体の概略右側面図である。
【図６】図６は、組立て状態における好ましい態様の扉固定金具組立体の概略上面図である。
【図７】図７は、組立て状態における好ましい態様の扉固定金具組立体の分解図である。
【図８】図８は、組立て状態における好ましい態様の扉固定金具組立体を備える扉の概略前方図である。
【図９】図９は、組立て状態における好ましい態様の扉固定金具組立体を備える扉の概略後方図である。
【００１４】
好ましい態様の詳細な説明
図１〜６を参照すると、ベースプレート１１、タング部１２、背面ガイド１３およびハンドル１４を含む、組立て状態における扉固定金具組立体が示されている。ベースプレート１１は、湾曲端部１６を有する、実質的に長方形である。このベースプレート１１は、隆起した周辺リップ１７を有する。このベースプレート１１は、タング部１２からのグリップ部分１９が突出する、グリップ開口１８を有する。グリップ部分１９は、グリップ開口１８内で動くことができ、グリップ部分１９が前方位置にあるときには、タング部１２は横に伸ばされており、グリップ部分１９が後方位置にあるときには、タング部１２は引っ込められている。
【００１５】
プレート耳金２０、２１が、パンチングされて曲げられたベースプレート１１の区域で形成されている。これらのプレート耳金２０、２１のそれぞれは、開口２２を有する。また、グリップ部分１９の対向する端部から横に対向方向に伸びる、２つのグリップ耳金２３、２４がある。グリップ耳金２３、２４のそれぞれは、開口２５を有する。グリップ部分１９が前方に動かされると、タング部は横に伸ばされ、プレート耳金２０および２１が、グリップ耳金２３および２４とそれぞれ重なり、それによって開口２２および２５が整列されて、南京錠またはその他を装着することが可能となる。
【００１６】
ハンドル１４は、湾曲端部１６に隣接して配置されている。ハンドル１４は凹部２９を有し、扉の開閉を支援する指グリップとなる。ハンドル１４は、好ましくはプラスチック材料製である。ハンドル１４は、対称形に成形されており、それによって、ハンドル１４がベースプレート１１に固定されていると、ベースプレート１１を反転させることができ、ハンドル１４は同様の機能を提供することができる。
背面ガイド１３は、ベースプレート１１の後面上に配置可能である。背面ガイド１３は、タング部１２を収容する長手方向チャネル３０を備えて、実質的に細長形である。組立中に、タング部１２は背面ガイド１３によって保持される。
【００１７】
タング部１２は、一端にグリップ部分９を含み、反対端に屈曲区域３１を含む、実質的に細長いアームである。さらに図７を参照すると、グリップ部分１９は、横に伸びるグリップ耳金２３、２４を有するグリップ支持部３３を備える、２部品のグリップ区域３２を含む。タング部１２はまた、施錠ピンをそこから突出させることのできる、錠用開口３６を有する。ハンドル１４および背面ガイド１３は、組立位置において、締め具３３とナット３４によってベースプレート１１と固定されている。締め具３３とナット３４はまた、固定金具組立体１０を扉に装着するのにも使用される。
【００１８】
図には、ベースプレート１１上に実質的に中央に位置する、鍵付き錠用ハウジング３５も示されている。べゼル型錠を、鍵付き錠用ハウジング３５に取り付けて、固定金具組立体１０を施錠するのに、さらなる安全性を与えることができる。鍵付き錠用ハウジング３５内において、ベースプレート１１は、施錠ピンをべゼル型錠からタング部開口３６を通して、突出させることができる開口を有する。
【００１９】
扉固定金具組立体１０は、扉の開き方に応じて、扉の右側または左側に配置することができる。扉固定金具組立体１０は、湾曲端部１６が扉の開口縁に隣接するように、配置されている。扉固定金具組立体の設計が対称であることによって、扉固定金具組立体１０を反転させることによって、同一の扉固定金具組立体１０を、左手開きと右手開きの両方に使用することができる。設計の対称性は、実質的に、ベースプレート１１、グリップ部分１９および付随するプレート耳金２０、２１、ならびにハンドル１４に存在する。扉固定金具組立体１０は、右側および左側の扉固定金具を有することが必要ではなく、１つの扉固定金具組立体のみが必要であるという利点がある。
【００２０】
図８および９を参照すると、扉固定金具組立体１０が取り付けられた扉４０が示されている。図８には、扉４０の前面表面４１が示されている。扉固定金具組立体１０は、扉４０の前面表面４１における凹部（図示せず）内に配置されており、それによって扉固定金具組立体１０のリップ１７は、実質的に前面表面４１と同一面となっている。扉固定金具組立体１０が前面表面４１と実質的に同一面であることから、扉４０のそばを歩くか、または開こうとする人に怪我をさせたり、妨げになったりする外側に伸びる突起または鋭い縁部がない。さらに、扉固定金具組立体１０によってもたらされる同一面仕上げは、現行固定金具と比較して、美的により好ましい。
【００２１】
図９において、扉４０の後側４２が示されている。扉４０は、互いに間隔を空けられた３つの水平方向に配置されたリブ４３によって強化されている。リブ４３は、実質的に内部チャネルを備えるＵ形である。リブ４３は、扉４０の頂部、扉４０の底部に隣接して、また実質的に扉４０の中央に配置されている。中央リブ４５は、部分的に、扉固定金具組立体１０用の装着締め具３３とナット３４で、位置決めして固定されている。締め具３３とナット３４で締結することによって、中央リブ４５は、上端部または下端部のいずれかからすべり込ませて位置決めするのではなく、直接的に装着することによって配置することができる。締め具３３とナット３４を使用することによって、中央リブ４５が逆向きの扉端部の間にぴったりと嵌まるようにする必要がなくなり、これによって、中央リブ４５を位置決めして締結または接着することに付随する問題が回避される。
【００２２】
効果
本発明の好ましい態様は、単一の組立体内に固定金具、ハンドルおよび施錠装置を備える扉を提供する。さらに、固定金具組立体の好ましい態様は、廊下に突出しないように、または廊下に沿った通行を妨げないように、凹部を設けられている。固定金具組立体の好ましい態様は、反転させることによって、右手開きおよび左手開きの扉の両方に対応させることができる。
【００２３】
変形形態
前記は本発明の実証用の例として提示したものであるのに対して、当業者には明白であるような、その例に対する、そのような、およびその他の修正形態および変形形態のすべては、本明細書に記載された本発明の広義の範囲と趣旨に含まれるものであることが、勿論のこと理解されるであろう。
本明細書の詳細な説明および請求の範囲を通して、「comprise（含む）」という用語、および「comprises」や「comprising」などのその語の変形形態は、その他の付加物、構成要素、整数またはステップを除外することを意図するものではない。
【図１】
2013529268.tif 000003
【図２】
2013529268.tif 000004
【図３】
2013529268.tif 000005
【図４】
2013529268.tif 000006
【図５】
2013529268.tif 000007
【図６】
2013529268.tif 000008
【図７】
2013529268.tif 000009
【図８】
2013529268.tif 000010
【図９】
2013529268.tif 000011
【国際調査報告】
2013529268.tif 000012
2013529268.tif 000013